(57)【要約】    【課題】新たな配線や施工を必要とせず、住戸内に設置されたモニタ親機が有する既存の端子を用いて増設させた機器との間で電波の遮蔽物となる住戸の外壁や扉の影響を受けずに通信を可能とする。    【解決手段】住戸内に設置されたモニタ親機６ａが有する既存の２つの端子Ｐ1a、Ｐ2aのうち、有線式玄関カメラ子機１ａが有線接続される端子Ｐ1aとは別途の端子Ｐ2aに無線中継器３ａを内蔵した有線式カメラ２ａを有線接続することにより、有線式玄関カメラ子機にて撮像された映像、有線式カメラにて撮像された映像、無線中継器の通信エリアＺ1aに設置されている無線式カメラ４ａ、５ａにて撮像された映像を、電波の遮蔽物となる住戸の外壁や扉の影響を受けずにモニタ親機へとそれぞれ伝送させることができ、新たな配線や施工を必要とせずに無線式カメラのような機器の増設が容易となる。  【選択図】図１
2006279791.tif 000002
【特許請求の範囲】
【請求項１】
玄関に設置される有線式玄関カメラ子機（１ａ）と、住戸内に設置され、前記有線式玄関カメラ子機を端子（Ｐ1a）を介して有線接続するとともに、無線式カメラ（４ａ、５ａ）からの信号を中継する無線中継器（３ａ）を内蔵した有線式カメラ（２ａ）を端子（Ｐ2a）を介して有線接続するモニタ親機（６ａ）とを備え、
前記無線式カメラは、前記無線中継器の通信エリア（Ｚ1a）に設置されていることを特徴とするテレビドアホン装置。
【請求項２】
玄関に設置される有線式玄関カメラ子機（１ｂ）と、住戸内に設置され、前記有線式玄関カメラ子機を端子（Ｐ1b）を介して有線接続するとともに、無線式カメラ（３ｂ、４ｂ）からの信号を中継する無線中継器（２ｂ）を有線接続するモニタ親機（５ｂ）とを備え、
前記無線式カメラは、前記無線中継器の通信エリア（Ｚ1b）に設置されていることを特徴とするテレビドアホン装置。
【請求項３】
玄関に設置され、無線式カメラ（３ｃ、４ｃ）からの信号を中継する無線中継器（２ｃ）を内蔵した有線式玄関カメラ子機（１ｃ）と、住戸内に設置され、前記有線式玄関カメラ子機を端子（Ｐ1c）を介して有線接続するモニタ親機（５ｃ）とを備え、
前記無線式カメラは、前記無線中継器の通信エリア（Ｚ1c）に設置されていることを特徴とするテレビドアホン装置。
【請求項４】
玄関に設置され、無線式玄関カメラ子機（３ｄ）からの信号を中継する無線中継器（２２ｄ）を内蔵した有線式カメラ（１ｄ）と、住戸内に設置され、前記有線式カメラを端子（Ｐ1d）を介して有線接続するモニタ親機（５ｄ）とを備え、
前記無線式玄関カメラ子機は、前記無線中継器の通信エリア（Ｚ1d）に設置されていることを特徴とするテレビドアホン装置。
【請求項５】
玄関に設置され、無線式玄関カメラ子機（３ｅ）からの信号を中継する無線中継器（２ｅ）を内蔵した有線式玄関カメラ子機（１ｅ）と、住戸内に設置され、前記有線式玄関カメラ子機を端子（Ｐ1e）を介して有線接続するモニタ親機（５ｅ）とを備え、
前記無線式玄関カメラ子機は、前記無線中継器の通信エリア（Ｚ1e）に設置されていることを特徴とするテレビドアホン装置。
【請求項６】
前記モニタ親機は、何れのカメラにて撮像された映像を優先的に表示させるかを予め設定するための設定部（６３ａ、５３ｂ、５３ｃ、５３ｄ、５３ｅ）と、前記設定部にて予め設定された優先度を記憶するための記憶部（６４ａ、５４ｂ、５４ｃ、５４ｄ、５４ｅ）と、前記カメラにて撮像された映像が重複して受信されたときには前記記憶部に記憶された優先度に従ってモニタ（６１ａ、５１ｂ、５１ｃ、５１ｄ、５１ｅ）に表示させるための制御部（６５ａ、５５ｂ、５５ｃ、５５ｄ、５５ｅ）とを備えたことを特徴とする請求項１乃至請求項５のうち何れか１項記載のテレビドアホン装置。
【請求項７】
前記モニタ親機は、何れのカメラにて撮像された映像を優先的に表示させるかを予め設定するための設定部（６３ａ、５３ｂ、５３ｃ、５３ｄ、５３ｅ）を備え、
前記無線中継器は、前記モニタ親機の前記設定部にて予め設定された優先度を記憶するための記憶部（３１ａ、２１ｂ、２１ｃ、２１ｄ、２１ｅ）と、前記カメラにて撮像された映像が重複して受信されたときには前記記憶部に記憶された優先度に従って優先度の高い映像信号を前記モニタ親機に送信するための制御部（３２ａ、２２ｂ、２２ｃ、２２ｄ、２２ｅ）とを備えたことを特徴とする請求項１乃至請求項５のうち何れか１項記載のテレビドアホン装置。
【発明の詳細な説明】
【技術分野】
【０００１】
本発明はテレビドアホン装置に係り、特に、新たな配線や施工を必要とせず、住戸内に設置されたモニタ親機が有する既存の端子を用いて増設させた機器との間で電波の遮蔽物となる住戸の外壁や扉の影響を受けずに通信が可能なテレビドアホン装置に関する。
【背景技術】
【０００２】
従来から、この種のテレビドアホン装置として、図１１のシステム説明図に示す構成のテレビドアホン装置が提案されている。
【０００３】
図１１のシステム説明図に示すテレビドアホン装置は、玄関に設置され、来訪者が住戸内に在室中の居住者を呼び出して通話を成立させるための呼出・通話機能および呼出操作を行った来訪者や玄関先の周囲近傍の映像を撮像する映像撮像機能を有する有線式玄関カメラ子機１０１と、玄関において有線式玄関カメラ子機１０１の設置場所とは異なる場所に設置され監視映像等を撮像するための映像撮像機能を有する（少なくとも１台の）有線式カメラ、ここでは、２台の有線式カメラ１０２ａ、１０２ｂと、住戸内に設置され、第１の端子Ｐ101にライン（以下、子機ラインという。）Ｌ101を介して有線接続される有線式玄関カメラ子機１０１からの呼び出しが報知され、この呼び出しを確認した居住者が応答して通話を成立させるための呼出・通話機能および有線式玄関カメラ子機１０１にて撮像された映像、第２の端子Ｐ102にライン（以下、第１のカメララインという。）Ｌ102を介して有線接続される有線式カメラ１０２ａにて撮像された映像、第３の端子Ｐ103にライン（以下、第２のカメララインという。）Ｌ103を介して有線接続される有線式カメラ１０２ｂにて撮像された映像をそれぞれ表示するための映像出画機能を有するモニタ親機１０３とを備えている（例えば、特許文献１、非特許文献１をそれぞれ参照。）。
【０００４】
【特許文献１】特開２００３−２８３６９６号公報
【非特許文献１】アイホン総合カタログ  ２００４／２００５年版（１３頁、１６頁、３３頁等）
【発明の開示】
【発明が解決しようとする課題】
【０００５】
しかしながら、従来例のテレビドアホン装置において、モニタ親機１０３に有線接続される有線式カメラの台数は、図示のとおり２台まで可能である一方、その接続が有線式であるため配線や施工後の追加が困難となるばかりでなく、モニタ親機１０３に設けられる第１〜第３の各端子Ｐ101、Ｐ102、Ｐ103を収容するスペースには制限が多いため、増設の妨げになっていた。
【０００６】
本発明は、前述の難点を解消するためになされたもので、既存の有線式カメラや有線式玄関カメラ子機に無線中継器を内蔵し、増設させた無線式カメラや無線式玄関カメラ子機および住戸内に設置されたモニタ親機の間で行われる通信を無線中継器を介して行うことにより、新たな配線や施工を必要とせず、モニタ親機が有する既存の端子を用いて増設させた機器との間で電波の遮蔽物となる住戸の外壁や扉の影響を受けずに通信が可能なテレビドアホン装置を提供することを目的としている。
【課題を解決するための手段】
【０００７】
前述の目的を達成するため、本発明の第１の態様であるテレビドアホン装置は、玄関に設置される有線式玄関カメラ子機と、住戸内に設置され、有線式玄関カメラ子機を端子を介して有線接続するとともに、無線式カメラからの信号を中継する無線中継器を内蔵した有線式カメラを端子を介して有線接続するモニタ親機とを備えたものであり、無線式カメラは、無線中継器の通信エリアに設置されている。
【０００８】
また、本発明の第２の態様であるテレビドアホン装置は、玄関に設置される有線式玄関カメラ子機と、住戸内に設置され、有線式玄関カメラ子機を端子を介して有線接続するとともに、無線式カメラからの信号を中継する無線中継器を有線接続するモニタ親機とを備えたものであり、無線式カメラは、無線中継器の通信エリアに設置されている。
【０００９】
また、本発明の第３の態様であるテレビドアホン装置は、玄関に設置され、無線式カメラからの信号を中継する無線中継器を内蔵した有線式玄関カメラ子機と、住戸内に設置され、有線式玄関カメラ子機を端子を介して有線接続するモニタ親機とを備えたものであり、無線式カメラは、無線中継器の通信エリアに設置されている。
【００１０】
また、本発明の第４の態様であるテレビドアホン装置は、玄関に設置され、無線式玄関カメラ子機からの信号を中継する無線中継器を内蔵した有線式カメラと、住戸内に設置され、有線式カメラを端子を介して有線接続するモニタ親機とを備えたものであり、無線式玄関カメラ子機は、無線中継器の通信エリアに設置されている。
【００１１】
また、本発明の第５の態様であるテレビドアホン装置は、玄関に設置され、無線式玄関カメラ子機からの信号を中継する無線中継器を内蔵した有線式玄関カメラ子機と、住戸内に設置され、有線式玄関カメラ子機を端子を介して有線接続するモニタ親機とを備えたものであり、無線式玄関カメラ子機は、無線中継器の通信エリアに設置されている。
【００１２】
また、本発明の第６の態様は、本発明の第１の態様乃至第５の態様のうち何れか１の態様であるテレビドアホン装置において、モニタ親機は、何れのカメラにて撮像された映像を優先的に表示させるかを予め設定するための設定部と、設定部にて予め設定された優先度を記憶するための記憶部と、カメラにて撮像された映像が重複して受信されたときには記憶部に記憶された優先度に従ってモニタに表示させるための制御部とを備えたものである。
【００１３】
また、本発明の第７の態様は、本発明の第１の態様乃至第５の態様のうち何れか１の態様であるテレビドアホン装置において、モニタ親機は、何れのカメラにて撮像された映像を優先的に表示させるかを予め設定するための設定部を備えたものであり、無線中継器は、モニタ親機の設定部にて予め設定された優先度を記憶するための記憶部と、カメラにて撮像された映像が重複して受信されたときには記憶部に記憶された優先度に従って優先度の高い映像信号をモニタ親機に送信するための制御部とを備えたものである。
【発明の効果】
【００１４】
本発明のテレビドアホン装置によれば、住戸内に設置されたモニタ親機が有する既存の２つの端子のうち、有線式玄関カメラ子機が有線接続される端子とは別途の端子に無線中継器を内蔵した有線式カメラを有線接続することにより、有線式玄関カメラ子機にて撮像された映像、有線式カメラにて撮像された映像、無線中継器の通信エリアに設置されている無線式カメラにて撮像された映像を、電波の遮蔽物となる住戸の外壁や扉の影響を受けずにモニタ親機へとそれぞれ伝送させることができ、新たな配線や施工を必要とせずに無線式カメラのような機器の増設が容易となる。
【００１５】
また、本発明のテレビドアホン装置によれば、住戸内に設置されたモニタ親機が有する既存の２つの端子のうち、有線式玄関カメラ子機が有線接続される端子とは別途の端子に無線中継器を有線接続することにより、有線式玄関カメラ子機にて撮像された映像、無線中継器の通信エリアに設置されている無線式カメラにて撮像された映像を、電波の遮蔽物となる住戸の外壁や扉の影響を受けずにモニタ親機へとそれぞれ伝送させることができ、新たな配線や施工を必要とせずに無線式カメラのような機器の増設が容易となる。
【００１６】
また、本発明のテレビドアホン装置によれば、住戸内に設置されたモニタ親機が有する既存の端子に無線中継器を内蔵した有線式玄関カメラ子機を有線接続することにより、有線式玄関カメラ子機にて撮像された映像、無線中継器の通信エリアに設置されている無線式カメラまたは無線式玄関カメラ子機にて撮像された映像を、電波の遮蔽物となる住戸の外壁や扉の影響を受けずにモニタ親機へとそれぞれ伝送させることができ、新たな配線や施工を必要とせずに無線式カメラまたは無線式玄関カメラ子機のような機器の増設が容易となる。
【００１７】
また、本発明のテレビドアホン装置によれば、住戸内に設置されたモニタ親機が有する既存の端子に無線中継器を内蔵した有線式カメラを有線接続することにより、有線式カメラにて撮像された映像、無線中継器の通信エリアに設置されている無線式玄関カメラ子機にて撮像された映像を、電波の遮蔽物となる住戸の外壁や扉の影響を受けずにモニタ親機へとそれぞれ伝送させることができ、新たな配線や施工を必要とせずに無線式玄関カメラ子機のような機器の増設が容易となる。
【００１８】
さらに、本発明のテレビドアホン装置によれば、有線式玄関カメラ子機にて撮像された映像、有線式カメラにて撮像された映像、無線式カメラにて撮像された映像、無線式玄関カメラ子機にて撮像された映像が重複してモニタ親機に受信された場合であっても、モニタ親機の設定部にて予め設定され記憶部に記憶させた優先度に従い、何れのカメラにて撮像された映像を当該モニタ親機の制御部の制御によってモニタに表示させることができるばかりでなく、モニタ親機の設定部にて予め設定された優先度を無線中継器の記憶部に記憶させることにより、無線中継器を内蔵した機器にて撮像された（映像である）映像信号および当該無線中継器を介して中継される機器にて撮像された（映像である）映像信号のうち、優先度の高い映像信号を無線中継器の制御部の制御によってモニタ親機へと伝送させることができる。
【発明を実施するための最良の形態】
【００１９】
以下、本発明のテレビドアホン装置を適用した最良の実施の形態例について、図面を参照して説明する。
［第１の実施例］
図１は、本発明の第１の実施例によるテレビドアホン装置の構成を示すシステム説明図である。
【００２０】
図１のシステム説明図に示すテレビドアホン装置は、玄関に設置され、来訪者が住戸内に在室中の居住者を呼び出して通話を成立させるための呼出・通話機能および呼出操作を行った来訪者や玄関先の周囲近傍の映像を撮像する映像撮像機能を有する有線式玄関カメラ子機１ａと、玄関において有線式玄関カメラ子機１ａの設置場所とは異なる場所に設置され監視映像等を撮像するための映像撮像機能を有しており、無線中継器３ａを内蔵した有線式カメラ２ａと、有線式カメラ２ａに内蔵された無線中継器３ａの通信エリア（通信エリア内）Ｚ1aに設置され監視映像等を撮像するための映像撮像機能を有している（少なくとも１台の）無線式カメラ、ここでは、２台の無線式カメラ４ａ、５ａと、住戸内に設置され、第１の端子Ｐ1aにライン（以下、子機ラインという。）Ｌ1aを介して有線接続される有線式玄関カメラ子機１ａからの呼び出しが報知され、この呼び出しを確認した居住者が応答して通話を成立させるための呼出・通話機能および有線式玄関カメラ子機１ａにて撮像された映像、第２の端子Ｐ2aにライン（以下、カメララインという。）Ｌ2aを介して有線接続される有線式カメラ２ａにて撮像された映像、有線式カメラ２ａに内蔵された無線中継器３ａを介して信号が中継される無線式カメラ４ａ、５ａにてそれぞれ撮像された映像を表示するための映像出画機能を有するモニタ親機６ａとを備えている。
【００２１】
また、有線式カメラ２ａには、図２（ａ）のブロック図に示すように、無線式カメラ４ａ、５ａからの各信号（映像信号）を受信するための無線受信部３０ａを備えた無線中継器３ａが内蔵されており、ＣＣＤ（Charge Coupled Device）、ＣＭＯＳ（Complementary Metal Oxide Semiconductor）等の撮像素子２０ａと、撮像素子２０ａにて撮像された映像を信号処理、例えば、ＦＭ変調するための映像処理回路（以下、カメラ映像処理回路という。）２１ａと、当該有線式カメラの構成各部／回路をそれぞれ制御するための制御部（以下、カメラ制御部という。）２２ａと、カメラ制御部２２ａおよびカメララインＬ2aの間の信号伝送路を形成するためのインターフェース回路（以下、カメラＩ／Ｆという。）２３ａとが備えられている。なお、有線式カメラ２ａには、前述の撮像素子２０ａ、カメラ映像処理回路２１ａ、カメラ制御部２２ａ、カメラＩ／Ｆ２３ａの他、当該有線式カメラの設置場所の周囲近傍に不審者等の人体が存在しているか否かを検知するための人体感知機能やモニタ親機６ａとの間で通話を成立させるための通話機能等（図示せず）が備えられる。
【００２２】
さらに、モニタ親機６ａには、図２（ａ）のブロック図に示すように、子機ラインＬ1aを介して有線式玄関カメラ子機１ａが有線接続される第１の端子Ｐ1aと、カメララインＬ2aを介して有線式カメラ２ａが有線接続される第２の端子Ｐ2aと、有線式玄関カメラ子機１ａにて呼出操作を行った来訪者からの呼び出しが報知され、この呼び出しに応答した居住者が通話を成立させるための呼出・通話部６０ａと、有線式玄関カメラ子機１ａにて撮像された映像、有線式カメラ２ａの撮像素子２０ａにて撮像された映像、無線式カメラ４ａ、５ａにてそれぞれ撮像された映像を表示するためのＬＣＤ（Liquid Crystal Display）、有機ＥＬ（Electro Luminescence）ディスプレイ等のモニタ６１ａと、モニタ６１ａに映像を表示させるにあたり伝送されてくる当該映像信号を信号処理、例えば、ＦＭ復調するための映像処理回路（以下、親機映像処理回路という。）６２ａと、有線式玄関カメラ子機１ａ、有線式カメラ２ａの撮像素子２０ａ、無線式カメラ４ａ、５ａのうち何れのカメラにて撮像された映像を優先的に表示させるかを予め設定するためのキーボタン、タッチパネル等の設定部６３ａと、設定部６３ａにて予め設定された優先度を記憶するためのＲＡＭ（Random Access Memory）、ＥＥＰＲＯＭ（Electrically Erasable Programmable Read Only Memory）等の記憶部（以下、親機記憶部という。）６４ａと、当該モニタ親機の構成各部／回路をそれぞれ制御するとともに、有線式玄関カメラ子機１ａにて撮像された映像、有線式カメラ２ａの撮像素子２０ａにて撮像された映像、無線式カメラ４ａ、５ａにてそれぞれ撮像された映像が重複して受信されたときには、親機記憶部６４ａに記憶された優先度に従ってモニタ６１ａに映像を表示させるための制御部（以下、親機制御部という。）６５ａと、呼出・通話部６０ａ、親機制御部６５ａおよび第１、第２の各端子Ｐ1a、Ｐ2aの間の信号伝送路をそれぞれ形成するためのインターフェース回路（以下、親機Ｉ／Ｆという。）６６ａとが備えられている。
【００２３】
このように構成された本発明の第１の実施例によるテレビドアホン装置において、以下、具体的な動作について説明する。
【００２４】
図２（ａ）のブロック図において、モニタ親機６ａの親機記憶部６４ａには、設定部６３ａにて予め設定された優先度、すなわち、有線式玄関カメラ子機１ａ、有線式カメラ２ａの撮像素子２０ａ、無線式カメラ４ａ、５ａのうち何れのカメラにて撮像された映像を優先的にモニタ６１ａに表示させるかの情報（以下、第１の優先度情報という。）、例えば、有線式カメラ２ａの撮像素子２０ａにて撮像された映像を優先的にモニタ６１ａに表示する旨の第１の優先度情報を記憶させることができる。
【００２５】
次に、前述のような第１の優先度情報が図２（ａ）のブロック図に示すモニタ親機６ａの親機記憶部６４ａに記憶されている状態において、有線式玄関カメラ子機１ａ、有線式カメラ２ａ、無線式カメラ４ａ、５ａの各映像撮像機能がそれぞれ能動となった場合の動作について説明する。
【００２６】
図１のシステム説明図および図２（ａ）のブロック図に示す有線式玄関カメラ子機１ａの映像撮像機能（詳述せず）が能動となり撮像された映像は、信号処理、例えば、ＦＭ変調された映像信号Ｓ1aとして、子機ラインＬ1a、モニタ親機６ａの第１の端子Ｐ1a、親機Ｉ／Ｆ６６ａを介して親機制御部６５ａへと伝送される。
【００２７】
また、図２（ａ）のブロック図に示す有線式カメラ２ａにおいて、撮像素子２０ａが能動となり撮像された映像は、カメラ映像処理回路２１ａを介して信号処理、例えば、ＦＭ変調された映像信号Ｓ2aとして、カメラ制御部２２ａ、カメラＩ／Ｆ２３ａ、カメララインＬ2a、モニタ親機６ａの第２の端子Ｐ2a、親機Ｉ／Ｆ６６ａを介して親機制御部６５ａへと伝送される。
【００２８】
また、図１のシステム説明図および図２（ａ）のブロック図に示す無線式カメラ４ａ、５ａの各映像撮像機能（詳述せず）がそれぞれ能動となり撮像された映像は、信号処理、例えば、ＦＭ変調された後、無線信号の映像信号Ｓ3a、Ｓ4aとして当該無線式カメラの機器外へと出力される。この映像信号Ｓ3a、Ｓ4aは、無線式カメラ４ａ、５ａとともに同一の通信エリア（通信エリア内）Ｚ1aに設置されている有線式カメラ２ａに内蔵された無線中継器３ａの無線受信部３０ａにて受信される。無線中継器３ａの無線受信部３０ａは、受信された無線信号を電気信号である映像信号Ｓ3a'、Ｓ4a’にそれぞれ信号処理する。この映像信号Ｓ3a'、Ｓ4a’は、無線受信部３０ａからカメラ制御部２２ａ、カメラＩ／Ｆ２３ａ、カメララインＬ2a、モニタ親機６ａの第２の端子Ｐ2a、親機Ｉ／Ｆ６６ａを介して親機制御部６５ａへと伝送される。
【００２９】
さらに、図２（ａ）のブロック図において、有線式玄関カメラ子機１ａにて撮像された映像である映像信号Ｓ1a、有線式カメラ２ａの撮像素子２０ａにて撮像された映像である映像信号Ｓ2a、無線式カメラ４ａ、５ａにてそれぞれ撮像された映像である映像信号Ｓ3a'、Ｓ4a'をモニタ親機６ａの親機制御部６５ａが重複して受信したとき、この親機制御部６５ａは、親機記憶部６４ａに記憶されている第１の優先度情報に従って、親機映像処理回路６２ａを介してモニタ６１ａへと出力させる当該映像信号を選択することにより、有線式玄関カメラ子機１ａにて撮像された映像、有線式カメラ２ａの撮像素子２０ａにて撮像された映像、無線式カメラ４ａ、５ａにてそれぞれ撮像された映像のうち、前述の第１の優先度情報に従って、有線式カメラ２ａの撮像素子２０ａにて撮像された映像を優先的にモニタ６１ａに表示させることができる。
【００３０】
なお、本発明の第１の実施例によるテレビドアホン装置の具体的な動作を説明するにあたり、前述までの説明では、図２（ａ）のブロック図に示すように、設定部６３ａにて予め設定された優先度（第１の優先度情報）を記憶するための当該記憶部と、有線式玄関カメラ子機１ａにて撮像された映像、有線式カメラ２ａの撮像素子２０ａにて撮像された映像、無線式カメラ４ａ、５ａにてそれぞれ撮像された映像が重複して受信されたときに当該記憶部に記憶された優先度（第１の優先度情報）に従ってモニタ６１ａに映像を表示させるための当該制御部とを記憶部６３ａ、親機制御部６５ａとしてモニタ親機６ａに備えた場合について説明したが、この構成に限定されず、図２（ｂ）のブロック図に示すように、有線式カメラ２ａに内蔵された無線中継器３ａに、記憶部（以下、中継器記憶部という。）３１ａ、制御部（以下、中継器制御部という。）３２ａとして、前述の無線受信部３０ａ、中継器制御部３２ａおよびカメラ制御部２２ａの間の信号伝送路を形成するインターフェース回路（以下、中継器Ｉ／Ｆという。）３３ａとともに備えることができる。
【００３１】
図２（ｂ）のブロック図において、モニタ親機６ａの親機制御部６５ａは、設定部６３ａにて予め設定された優先度、すなわち、有線式玄関カメラ子機１ａ、有線式カメラ２ａの撮像素子２０ａ、無線式カメラ４ａ、５ａのうち、有線式カメラ２ａの撮像素子２０ａにて撮像された映像を優先的にモニタ６１ａに表示させる旨の第１の優先度情報を付加させた制御信号Ｓ5aを生成する。この制御信号Ｓ5aは、親機制御部６５ａから親機Ｉ／Ｆ６６ａ、第２の端子Ｐ2a、カメララインＬ2a、有線式カメラ２ａのカメラＩ／Ｆ２３ａ、カメラ制御部２２ａ、無線中継器３ａの中継器Ｉ／Ｆ３３ａを介して中継器制御部３２ａへと伝送される。
【００３２】
また、図２（ｂ）のブロック図において、有線式カメラ２ａに内蔵された無線中継器３ａの中継器制御部３２ａは、モニタ親機６ａ（の親機制御部６５ａ）からの制御信号Ｓ5aをもとに、有線式カメラ２ａの撮像素子２０ａにて撮像された映像でありカメラ映像処理回路２１ａ、カメラ制御部２２ａ、中継器Ｉ／Ｆ３３ａを介して伝送されてくる映像信号Ｓ2a、無線受信部３０ａにて受信された無線式カメラ４ａ、５ａからの各映像信号Ｓ4a、Ｓ5aのうち、有線式カメラ２ａの撮像素子２０ａにて撮像された映像である映像信号Ｓ2aを優先的にモニタ親機６ａへと伝送させる旨の前述の第１の優先度情報を中継器記憶部３１ａに記憶させることができる。
【００３３】
次に、前述のような第１の優先度情報が図２（ｂ）のブロック図に示す有線式カメラ２ａに内蔵された無線中継器３ａの中継器記憶部３１ａに記憶されている状態において、有線式玄関カメラ子機１ａ、有線式カメラ２ａ、無線式カメラ４ａ、５ａの各映像撮像機能がそれぞれ能動となった場合の動作について説明する。
【００３４】
なお、図１のシステム説明図および図２（ｂ）のブロック図に示す有線式玄関カメラ子機１ａの映像撮像機能（詳述せず）が能動となり撮像された映像は、前述と同様な信号処理が行われた映像信号Ｓ1aとしてモニタ親機６ａの親機制御部６５ａへと伝送される。
【００３５】
また、図２（ｂ）のブロック図に示す有線式カメラ２ａにおいて、撮像素子２０ａが能動となり撮像された映像は、カメラ映像処理回路２１ａを介して信号処理、例えば、ＦＭ変調された映像信号Ｓ2aとして、カメラ制御部２２ａ、無線中継器３３ａの中継器Ｉ／Ｆ３３ａを介して中継器制御部３２ａへと伝送される。
【００３６】
また、図１のシステム説明図および図２（ｂ）のブロック図に示す無線式カメラ４ａ、５ａの各映像撮像機能（詳述せず）がそれぞれ能動となり撮像された映像は、前述と同様な信号処理が行われた映像信号Ｓ3a、Ｓ4aとして当該無線式カメラの機器外へと出力された後、有線式カメラ２ａに内蔵された無線中継器３ａの無線受信部３０ａにて受信される。無線中継器３ａの中継器制御部３２ａは、有線式カメラ２ａのカメラ映像処理回路２１ａを介して信号処理、例えば、ＦＭ変調された映像信号Ｓ2a、無線受信部３０ａを介して電気信号に信号処理された映像信号Ｓ3a'、Ｓ4a’のうち、中継器記憶部３１ａに記憶されている第１の優先度情報に従って、優先度の高い有線式カメラ２ａの撮像素子２０ａにて撮像された映像である映像信号Ｓ2aを中継器Ｉ／Ｆ３３ａ、カメラ制御部２２ａ、カメラＩ／Ｆ２３ａ、カメララインＬ2a、モニタ親機６ａの第２の端子Ｐ2a、親機Ｉ／Ｆ６６ａを介して親機制御部６５ａへと伝送させる。
【００３７】
さらに、図２（ｂ）のブロック図において、モニタ親機６ａの親機制御部６５ａは、有線式カメラ２ａに内蔵された無線中継器３ａの中継器記憶部３１ａに記憶されている第１の優先度情報に従って伝送されてきた当該映像信号、すなわち、有線式カメラ２ａの撮像素子２０ａにて撮像された映像である映像信号Ｓ2aを親機映像処理回路６２ａを介してモニタ６１ａへと出力することにより、有線式カメラ２ａの撮像素子２０ａにて撮像された映像、無線式カメラ４ａ、５ａにてそれぞれ撮像された映像のうち、前述の第１の優先度情報に従って、有線式カメラ２ａの撮像素子２０ａにて撮像された映像を優先的にモニタ６１ａに表示させることができる。
【００３８】
なお、図２（ｂ）のブロック図において、モニタ親機６ａの親機制御部６５ａでは、設定部６３ａにて行われた設定操作による第１の優先度情報に従って、有線式カメラ２ａの撮像素子２０ａにて撮像された映像のみならず、有線式玄関カメラ子機１ａにて撮像された映像をモニタ６１ａに表示させることもできる。
【００３９】
また、本発明の第１の実施例によるテレビドアホン装置によれば、モニタ親機６ａの親機記憶部６４ａまたは無線中継器３ａの中継器記憶部３１ａに記憶させる第１の優先度情報として、有線式カメラ２ａの撮像素子２０ａにて撮像された映像を優先的にモニタ６１ａに表示させる旨を適用したが、これに限定されず、有線式玄関カメラ子機１ａにて撮像された映像を優先的にモニタ６１ａに表示させる旨、無線式カメラ４ａにて撮像された映像を優先的にモニタ６１ａに表示させる旨、無線式カメラ５ａにて撮像された映像を優先的にモニタ６１ａに表示させる旨の何れかを第１の優先度情報として親機記憶部６４ａまたは中継器記憶部３１ａに記憶することにより、第１の優先度情報に該当する何れかのカメラにて撮像された映像を優先的にモニタ６１ａに表示させることができる。
［第２の実施例］
次に、本発明の第２の実施例によるテレビドアホン装置について、図面を参照して説明する。
【００４０】
図３は、本発明の第２の実施例によるテレビドアホン装置の構成を示すシステム説明図である。
【００４１】
図３のシステム説明図に示すテレビドアホン装置は、玄関に設置され、前述の有線式玄関カメラ子機１ａと同様な機能を有する有線式玄関カメラ子機１ｂと、玄関において有線式玄関カメラ子機１ｂの設置場所とは異なる場所に設置された無線中継器２ｂと、無線中継器２ｂの通信エリア（通信エリア内）Ｚ1bに設置される前述の無線式カメラ４ａ、５ａと同様な機能を有する（少なくとも１台の）無線式カメラ、ここでは、２台の無線式カメラ３ｂ、４ｂと、住戸内に設置され、第１の端子Ｐ1bに子機ラインＬ1bを介して有線接続される有線式玄関カメラ子機１ｂからの呼び出しが報知され、この呼び出しを確認した居住者が応答して通話を成立させるための呼出・通話機能および有線式玄関カメラ子機１ｂにて撮像された映像、第２の端子Ｐ2bにライン（以下、中継器ラインという。）Ｌ2bを介して有線接続される無線中継器２ｂを介して信号が中継される無線式カメラ３ｂ、４ｂにてそれぞれ撮像された映像を表示するための映像出画機能を有するモニタ親機５ｂとを備えている。
【００４２】
また、無線中継器２ｂには、図４（ａ）のブロック図に示すように、無線式カメラ３ｂ、４ｂからの各信号（映像信号）を受信するための無線受信部２０ｂが備えられている。
【００４３】
さらに、モニタ親機５ｂには、図４（ａ）のブロック図に示すように、子機ラインＬ1bを介して有線式玄関カメラ子機１ｂが有線接続される第１の端子Ｐ1bと、中継器ラインＬ2bを介して無線中継器２ｂが有線接続される第２の端子Ｐ2bと、有線式玄関カメラ子機１ｂにて呼出操作を行った来訪者からの呼び出しが報知され、この呼び出しに応答した居住者が通話を成立させるための呼出・通話部５０ｂと、有線式玄関カメラ子機１ｂにて撮像された映像、無線式カメラ３ｂ、４ｂにてそれぞれ撮像された映像を表示するためのＬＣＤ、有機ＥＬディスプレイ等のモニタ５１ｂと、モニタ５１ｂに映像を表示させるにあたり伝送されてくる当該映像信号を信号処理、例えば、ＦＭ復調するための親機映像処理回路５２ｂと、有線式玄関カメラ子機１ｂ、無線式カメラ３ｂ、４ｂのうち何れのカメラにて撮像された映像を優先的に表示させるかを予め設定するためのキーボタン、タッチパネル等の設定部５３ｂと、設定部５３ｂにて予め設定された優先度を記憶するためのＲＡＭ、ＥＥＰＲＯＭ等の親機記憶部５４ｂと、当該モニタ親機の構成各部／回路をそれぞれ制御するとともに、有線式玄関カメラ子機１ｂにて撮像された映像、無線式カメラ３ｂ、４ｂにてそれぞれ撮像された映像が重複して受信されたときには、親機記憶部５４ｂに記憶された優先度に従ってモニタ５１ｂに映像を表示させるための親機制御部５５ｂと、呼出・通話部５０ｂ、親機制御部５５ｂおよび第１、第２の各端子Ｐ1b、Ｐ2bの間の信号伝送路をそれぞれ形成するための親機Ｉ／Ｆ５６ｂとが備えられている。
【００４４】
このように構成された本発明の第２の実施例によるテレビドアホン装置において、以下、具体的な動作について説明する。
【００４５】
図４（ａ）のブロック図において、モニタ親機５ｂの親機記憶部５４ｂには、設定部５３ｂにて予め設定された優先度、すなわち、有線式玄関カメラ子機１ｂ、無線式カメラ３ｂ、４ｂのうち何れのカメラにて撮像された映像を優先的にモニタ５１ｂに表示させるかの情報（以下、第２の優先度情報という。）、例えば、無線式カメラ３ｂにて撮像された映像を優先的にモニタ５１ｂに表示する旨の第２の優先度情報を記憶させることができる。
【００４６】
次に、前述のような第３の優先度情報が図４（ａ）のブロック図に示すモニタ親機５ｂの親機記憶部５４ｂに記憶されている状態において、有線式玄関カメラ子機１ｂ、無線式カメラ３ｂ、４ｂの各映像撮像機能がそれぞれ能動となった場合の動作について説明する。
【００４７】
図３のシステム説明図および図４（ａ）のブロック図に示す有線式玄関カメラ子機１ｂの映像撮像機能（詳述せず）が能動となり撮像された映像は、信号処理、例えば、ＦＭ変調された映像信号Ｓ1bとして、子機ラインＬ1b、モニタ親機５ｂの第１の端子Ｐ1b、親機Ｉ／Ｆ５６ｂを介して親機制御部５５ｂへと伝送される。
【００４８】
また、図３のシステム説明図および図４（ａ）のブロック図に示す無線式カメラ３ｂ、４ｂの各映像撮像機能（詳述せず）がそれぞれ能動となり撮像された映像は、信号処理、例えば、ＦＭ変調された後、無線信号の映像信号Ｓ2b、Ｓ3bとして当該無線式カメラの機器外へと出力される。この映像信号Ｓ2b、Ｓ3bは、無線式カメラ３ｂ、４ｂとともに同一の通信エリア（通信エリア内）Ｚ1bに設置されている無線中継器２ｂの無線受信部２０ｂにて受信される。無線中継器２ｂの無線受信部２０ｂは、受信された無線信号を電気信号である映像信号Ｓ2b'、Ｓ3b’にそれぞれ信号処理する。この映像信号Ｓ2b'、Ｓ3b’は、無線受信部２０ｂから中継器ラインＬ2b、モニタ親機５ｂの第２の端子Ｐ2b、親機Ｉ／Ｆ５６ｂを介して親機制御部５５ｂへと伝送される。
【００４９】
さらに、図４（ａ）のブロック図において、有線式玄関カメラ子機１ｂにて撮像された映像である映像信号Ｓ1b、無線式カメラ３ｂ、４ｂにてそれぞれ撮像された映像である映像信号Ｓ2b'、Ｓ3b'をモニタ親機５ｂの親機制御部５５ｂが重複して受信したとき、この親機制御部５５ｂは、親機記憶部５４ｂに記憶されている第２の優先度情報に従って、親機映像処理回路５２ｂを介してモニタ５１ｂへと出力させる当該映像信号を選択することにより、有線式玄関カメラ子機１ｂにて撮像された映像、無線式カメラ３ｂ、４ｂにてそれぞれ撮像された映像のうち、前述の第２の優先度情報に従って、無線式カメラ３ｂにて撮像された映像を優先的にモニタ５１ｂに表示させることができる。
【００５０】
なお、本発明の第２の実施例によるテレビドアホン装置の具体的な動作を説明するにあたり、前述までの説明では、図４（ａ）のブロック図に示すように、設定部５３ｂにて予め設定された優先度（第２の優先度情報）を記憶するための当該記憶部と、有線式玄関カメラ子機１ｂにて撮像された映像、無線式カメラ３ｂ、４ｂにてそれぞれ撮像された映像が重複して受信されたときに当該記憶部に記憶された優先度（第２の優先度情報）に従ってモニタ５１ｂに映像を表示させるための当該制御部とを親機記憶部５４ｂ、親機制御部５５ｂとしてモニタ親機５ｂに備えた場合について説明したが、この構成に限定されず、図４（ｂ）のブロック図に示すように、無線中継器２ｂに中継器記憶部２１ｂ、中継器制御部２２ｂとして、前述の無線受信部２０ｂ、中継器制御部２２ｂおよび中継器ラインＬ2bの間の信号伝送路を形成するための中継器Ｉ／Ｆ２３ｂとともに備えることができる。
【００５１】
図４（ｂ）のブロック図において、モニタ親機５ｂの親機制御部５５ｂは、設定部５３ｂにて予め設定された優先度、すなわち、有線式玄関カメラ子機１ｂ、無線式カメラ３ｂ、４ｂのうち、無線式カメラ３ｂにて撮像された映像を優先的にモニタ５１ｂに表示させる旨の第２の優先度情報を付加させた制御信号Ｓ4bを生成する。この制御信号Ｓ4bは、親機制御部５５ｂから親機Ｉ／Ｆ５６ｂ、第２の端子Ｐ2b、中継器ラインＬ2b、無線中継器２ｂの中継器Ｉ／Ｆ２３ｂを介して中継器制御部２２ｂへと伝送される。
【００５２】
また、図４（ｂ）のブロック図において、無線中継器２ｂの中継器制御部２２ｂは、モニタ親機５ｂ（の親機制御部５５ｂ）からの制御信号Ｓ4bをもとに、無線受信部２０ｂにて受信された無線式カメラ３ｂ、４ｂからの各映像信号Ｓ2b、Ｓ3bのうち、無線式カメラ３ｂにて撮像された映像である映像信号Ｓ2bについて電気信号に信号処理した映像信号Ｓ2b'を優先的にモニタ親機５ｂへと伝送させる旨の前述の第２の優先度情報を中継器記憶部２１ｂに記憶させることができる。
【００５３】
次に、前述のような第２の優先度情報が図４（ｂ）のブロック図に示す無線中継器２ｂの中継器記憶部２１ｂに記憶されている状態において、有線式玄関カメラ子機１ｂ、無線式カメラ３ｂ、４ｂの各映像撮像機能がそれぞれ能動となった場合の動作について説明する。
【００５４】
なお、図３のシステム説明図および図４（ｂ）のブロック図に示す有線式玄関カメラ子機１ｂの映像撮像機能（詳述せず）が能動となり撮像された映像は、前述と同様な信号処理が行われた映像信号Ｓ1bとしてモニタ親機５ｂの親機制御部５５ｂへと伝送される。
【００５５】
また、図３のシステム説明図および図４（ｂ）のブロック図に示す無線式カメラ３ｂ、４ｂの各映像撮像機能（詳述せず）がそれぞれ能動となり撮像された映像は、前述と同様な信号処理が行われた映像信号Ｓ2b、Ｓ3bとして当該無線式カメラの機器外へと出力された後、無線中継器２ｂの無線受信部２０ｂにて受信される。無線中継器２ｂの中継器制御部２２ｂは、無線受信部２０ｂを介して電気信号に信号処理された映像信号Ｓ2b'、Ｓ3b’のうち、中継器記憶部２１ｂに記憶されている第２の優先度情報に従って、優先度の高い無線式カメラ３ｂにて撮像された映像である映像信号Ｓ2b'を中継器Ｉ／Ｆ２３ｂ、中継器ラインＬ2b、モニタ親機５ｂの第２の端子Ｐ2b、親機Ｉ／Ｆ５６ｂを介して親機制御部５５ｂへと伝送させる。
【００５６】
さらに、図４（ｂ）のブロック図において、モニタ親機５ｂの親機制御部５５ｂは、無線中継器２ｂの中継器記憶部２１ｂに記憶されている第２の優先度情報に従って伝送されてきた当該映像信号、すなわち、無線式カメラ３ｂにて撮像された映像である映像信号Ｓ2b'を親機映像処理回路５２ｂを介してモニタ５１ｂへと出力することにより、無線式カメラ３ｂ、４ｂにてそれぞれ撮像された映像のうち、前述の第２の優先度情報に従って、無線式カメラ３ｂにて撮像された映像を優先的にモニタ５１ｂに表示させることができる。
【００５７】
なお、図４（ｂ）のブロック図において、モニタ親機５ｂの親機制御部５５ｂでは、設定部５３ｂにて行われた設定操作による第２の優先度情報に従って、無線式カメラ３ｂにて撮像された映像のみならず、有線式玄関カメラ子機１ｂにて撮像された映像をモニタ５１ｂに表示させることもできる。
【００５８】
また、本発明の第２の実施例によるテレビドアホン装置によれば、モニタ親機５ｂの親機記憶部５４ｂまたは無線中継器２ｂの中継器記憶部２１ｂに記憶させる第２の優先度情報として、無線式カメラ３ｂにて撮像された映像を優先的にモニタ５１ｂに表示させる旨を適用したが、これに限定されず、有線式玄関カメラ子機１ｂにて撮像された映像を優先的にモニタ５１ｂに表示させる旨、無線式カメラ４ｂにて撮像された映像を優先的にモニタ５１ｂに表示させる旨の何れかを第２の優先度情報として親機記憶部５４ｂまたは中継器記憶部２１ｂに記憶することにより、第２の優先度情報に該当する何れかのカメラにて撮像された映像を優先的にモニタ５１ｂに表示させることができる。
［第３の実施例］
次に、本発明の第３の実施例によるテレビドアホン装置について、図面を参照して説明する。
【００５９】
図５は、本発明の第３の実施例によるテレビドアホン装置の構成を示すシステム説明図である。
【００６０】
図５のシステム説明図に示すテレビドアホン装置は、玄関に設置され、前述の有線式玄関カメラ子機１ａ、１ｂと同様な機能を有する無線中継器２ｃを内蔵した有線式玄関カメラ子機１ｃと、有線式玄関カメラ１ｃに内蔵された無線中継器２ｃの通信エリア（通信エリア内）Ｚ1cに設置される前述の無線式カメラ４ａ、５ａ、３ｂ、４ｂと同様な機能を有する（少なくとも１台の）無線式カメラ、ここでは、２台の無線式カメラ３ｃ、４ｃと、住戸内に設置され、端子Ｐ1cに子機ラインＬ1cを介して有線接続される有線式玄関カメラ子機１ｃからの呼び出しが報知され、この呼び出しを確認した居住者が応答して通話を成立させるための呼出・通話機能および有線式玄関カメラ子機１ｃにて撮像された映像、有線式玄関カメラ子機１ｃに内蔵された無線中継器２ｃを介して信号が中継される無線式カメラ３ｃ、４ｃにてそれぞれ撮像された映像を表示するための映像出画機能を有するモニタ親機５ｃとを備えている。
【００６１】
また、有線式玄関カメラ子機１ｃには、図６（ａ）のブロック図に示すように、無線式カメラ３ｃ、４ｃからの各信号（映像信号）を受信するための無線受信部２０ｃを備えた無線中継器２ｃが内蔵されており、ＣＣＤ、ＣＭＯＳ等の撮像素子１０ｃと、撮像素子１０ｃにて撮像された映像を信号処理、例えば、ＦＭ変調するための映像処理回路（以下、子機映像処理回路という。）１１ｃと、当該有線式玄関カメラ子機の構成各部／回路をそれぞれ制御するための制御部（以下、子機制御部という。）１２ｃと、子機制御部１２ｃおよび子機ラインＬ1cの間の信号伝送路を形成するためのインターフェース回路（以下、子機Ｉ／Ｆという。）１３ｃとが備えられている。なお、有線式玄関カメラ子機１ｃには、前述の撮像素子１０ｃ、子機映像処理回路１１ｃ、子機制御部１２ｃ、子機Ｉ／Ｆ１３ｃの他、モニタ親機５ｃを呼び出して通話を成立させるための呼出・通話機能等（図示せず）が備えられる。
【００６２】
さらに、モニタ親機５ｃには、図６（ａ）のブロック図に示すように、子機ラインＬ1cを介して有線式玄関カメラ子機１ｃが有線接続される端子Ｐ1cと、有線式玄関カメラ子機１ｃにて呼出操作を行った来訪者からの呼び出しが報知され、この呼び出しに応答した居住者が通話を成立させるための呼出・通話部５０ｃと、有線式玄関カメラ子機１ｃの撮像素子１０ｃにて撮像された映像、無線式カメラ３ｃ、４ｃにてそれぞれ撮像された映像を表示するためのＬＣＤ、有機ＥＬディスプレイ等のモニタ５１ｃと、モニタ５１ｃに映像を表示させるにあたり伝送されてくる当該映像信号を信号処理、例えば、ＦＭ復調するための親機映像処理回路５２ｃと、有線式玄関カメラ子機１ｃ、無線式カメラ３ｃ、４ｃのうち何れのカメラにて撮像された映像を優先的に表示させるかを予め設定するためのキーボタン、タッチパネル等の設定部５３ｃと、設定部５３ｃにて予め設定された優先度を記憶するためのＲＡＭ、ＥＥＰＲＯＭ等の親機記憶部５４ｃと、当該モニタ親機の構成各部／回路をそれぞれ制御するとともに、有線式玄関カメラ子機１ｃにて撮像された映像、無線式カメラ３ｃ、４ｃにてそれぞれ撮像された映像が重複して受信されたときには、親機記憶部５４ｃに記憶された優先度に従ってモニタ５１ｃに映像を表示させるための親機制御部５５ｃと、呼出・通話部５０ｃ、親機制御部５５ｃおよび端子Ｐ1cの間の信号伝送路をそれぞれ形成するための親機Ｉ／Ｆ５６ｃとが備えられている。
【００６３】
このように構成された本発明の第３の実施例によるテレビドアホン装置において、以下、具体的な動作について説明する。
【００６４】
図６（ａ）のブロック図において、モニタ親機５ｃの親機記憶部５４ｃには、設定部５３ｃにて予め設定された優先度、すなわち、有線式玄関カメラ子機１ｃ、無線式カメラ３ｃ、４ｃのうち何れのカメラにて撮像された映像を優先的にモニタ５１ｃに表示させるかの情報（以下、第３の優先度情報という。）、例えば、無線式カメラ４ｃにて撮像された映像を優先的にモニタ５１ｃに表示する旨の第３の優先度情報を記憶させることができる。
【００６５】
次に、前述のような第３の優先度情報が図６（ａ）のブロック図に示すモニタ親機５ｃの親機記憶部５４ｃに記憶されている状態において、有線式玄関カメラ子機１ｃ、無線式カメラ３ｃ、４ｃの各映像撮像機能がそれぞれ能動となった場合の動作について説明する。
【００６６】
図６（ａ）のブロック図に示す有線式玄関カメラ子機１ｃにおいて、撮像素子１０ｃが能動となり撮像された映像は、子機映像信号処理回路１１ｃを介して信号処理、例えば、ＦＭ変調された映像信号Ｓ1cとして、子機制御部１２ｃ、子機Ｉ／Ｆ１３ｃ、子機ラインＬ1c、モニタ親機５ｃの端子Ｐ1c、親機Ｉ／Ｆ５６ｃを介して親機制御部５５ｃへと伝送される。
【００６７】
また、図５のシステム説明図および図６（ａ）のブロック図に示す無線式カメラ３ｃ、４ｃの各映像撮像機能（詳述せず）がそれぞれ能動となり撮像された映像は、信号処理、例えば、ＦＭ変調された後、無線信号の映像信号Ｓ2c、Ｓ3cとして当該無線式カメラの機器外へと出力される。この映像信号Ｓ2c、Ｓ3cは、無線式カメラ３ｃ、４ｃとともに同一の通信エリア（通信エリア内）Ｚ1cに設置されている有線式玄関カメラ子機１ｃに内蔵された無線中継器２ｃの無線受信部２０ｃにて受信される。無線中継器２ｃの無線受信部２０ｃは、受信された無線信号を電気信号である映像信号Ｓ2c'、Ｓ3c’にそれぞれ信号処理する。この映像信号Ｓ2c'、Ｓ3c’は、無線受信部２０ｃから子機制御部１２ｃ、子機Ｉ／Ｆ１３ｃ、子機ラインＬ1c、モニタ親機５ｃの端子Ｐ1c、親機Ｉ／Ｆ５６ｃを介して親機制御部５５ｃへと伝送される。
【００６８】
さらに、図６（ａ）のブロック図において、有線式玄関カメラ子機１ｃの撮像素子１０ｃにて撮像された映像である映像信号Ｓ1c、無線式カメラ３ｃ、４ｃにてそれぞれ撮像された映像である映像信号Ｓ2c'、Ｓ3c'をモニタ親機５ｃの親機制御部５５ｃが重複して受信したとき、この親機制御部５５ｃは、親機記憶部５４ｃに記憶されている第３の優先度情報に従って、親機映像処理回路５２ｃを介してモニタ５１ｃへと出力させる当該映像信号を選択することにより、有線式玄関カメラ子機１ｃの撮像素子１０ｃにて撮像された映像、無線式カメラ３ｃ、４ｃにてそれぞれ撮像された映像のうち、前述の第３の優先度情報に従って、無線式カメラ４ｃにて撮像された映像を優先的にモニタ５１ｃに表示させることができる。
【００６９】
なお、本発明の第３の実施例によるテレビドアホン装置の具体的な動作を説明するにあたり、前述までの説明では、図６（ａ）のブロック図に示すように、設定部５３ｃにて予め設定された優先度を記憶するための当該記憶部と、有線式玄関カメラ子機１ｃの撮像素子１０ｃ、無線式カメラ３ｃ、４ｃにてそれぞれ撮像された映像が重複して受信されたときに当該記憶部に記憶された優先度（第３の優先度情報）に従ってモニタ５１ｃに映像を表示させるための当該制御部とを記憶部５３ｃ、親機制御部５５ｃとしてモニタ親機５ｃに備えた場合について説明したが、この構成に限定されず、図６（ｂ）のブロック図に示すように、有線式玄関カメラ子機１ｃに内蔵された無線中継器２ｃに、中継器記憶部２１ｃ、中継器制御部２２ｃとして、前述の無線受信部２０ｃ、中継器制御部２２ｃおよび子機制御部１２ｃの間の信号伝送路を形成するための中継器Ｉ／Ｆ２３ｃとともに備えることができる。
【００７０】
図６（ｂ）のブロック図において、モニタ親機５ｃの親機制御部５５ｃは、設定部５３ｃにて予め設定された優先度、すなわち、有線式玄関カメラ子機１ｃの撮像素子１０ｃ、無線式カメラ３ｃ、４ｃのうち、無線式カメラ４ｃにて撮像された映像を優先的にモニタ５１ｃに表示させる旨の第３の優先度情報を付加させた制御信号Ｓ4cを生成する。この制御信号Ｓ4cは、親機制御部５５ｃから親機Ｉ／Ｆ５６ｃ、端子Ｐ1c、子機ラインＬ1c、有線式玄関カメラ子機１ｃの子機Ｉ／Ｆ１３ｃ、子機制御部１２ｃ、無線中継器２ｃの中継器Ｉ／Ｆ２３ｃを介して中継器制御部２２ｃへと伝送される。
【００７１】
また、図６（ｂ）のブロック図において、有線式玄関カメラ子機１ｃに内蔵された無線中継器２ｃの中継器制御部２２ｃは、モニタ親機５ｃ（の親機制御部５５ｃ）からの制御信号Ｓ4cをもとに、有線式玄関カメラ子機１ｃの撮像素子１０ｃにて撮像された映像であり子機映像処理回路１１ｃ、子機制御部１２ｃ、中継器Ｉ／Ｆ２３ｃを介して伝送されてくる映像信号Ｓ1c、無線受信部２０ｃにて受信された無線式カメラ３ｃ、４ｃからの各映像信号Ｓ2c、Ｓ3cのうち、無線式カメラ４ｃにて撮像された映像である映像信号Ｓ3cについて電気信号に信号処理した映像信号Ｓ3c'を優先的にモニタ親機５ｃへと伝送させる旨の前述の第３の優先度情報を中継器記憶部２１ｃに記憶させることができる。
【００７２】
次に、前述のような第３の優先度情報が図６（ｂ）のブロック図に示す有線式玄関カメラ子機１ｃに内蔵された無線中継器２ｃの中継器記憶部２１ｃに記憶されている状態において、有線式玄関カメラ子機１ｃ、無線式カメラ３ｃ、４ｃの各映像撮像機能がそれぞれ能動となった場合の動作について説明する。
【００７３】
図６（ｂ）のブロック図に示す有線式玄関カメラ子機１ｃにおいて、撮像素子１０ｃが能動となり撮像された映像は、子機映像処理回路１１ｃを介して信号処理、例えば、ＦＭ変調された映像信号Ｓ1cとして、子機制御部１２ｃ、無線中継器２ｃの中継器Ｉ／Ｆ２３ｃを介して中継器制御部２２ｃへと伝送される。
【００７４】
また、図５のシステム説明図および図６（ｂ）のブロック図に示す無線式カメラ３ｃ、４ｃの各映像撮像機能（詳述せず）がそれぞれ能動となり撮像された映像は、前述と同様な信号処理が行われた映像信号Ｓ2c、Ｓ3cとして当該無線式カメラの機器外へと出力された後、有線式玄関カメラ子機１ｃに内蔵された無線中継器２ｃの無線受信部２０ｃにて受信される。無線中継器２ｃの中継器制御部２２ｃは、有線式玄関カメラ子機１ｃの子機映像処理回路１１ｃを介して信号処理、例えば、ＦＭ変調された映像信号Ｓ1c、無線受信部２０ｃを介して電気信号に信号処理された映像信号Ｓ2c'、Ｓ3c’のうち、中継器記憶部２１ｃに記憶されている第３の優先度情報に従って、優先度の高い無線式カメラ４ｃにて撮像された映像である映像信号Ｓ3c'を中継器Ｉ／Ｆ２３ｃ、子機制御部１２ｃ、子機Ｉ／Ｆ１３ｃ、子機ラインＬ1c、モニタ親機５ｃの端子Ｐ1c、親機Ｉ／Ｆ５６ｃを介して親機制御部５５ｃへと伝送させる。
【００７５】
さらに、図６（ｂ）のブロック図において、モニタ親機５ｃの親機制御部５５ｃは、有線式玄関カメラ子機１ｃに内蔵された無線中継器２ｃの中継器記憶部２１ｃに記憶されている第３の優先度情報に従って伝送されてきた当該映像信号、すなわち、無線式カメラ４ｃにて撮像された映像である映像信号Ｓ3c'を親機映像処理回路５２ｃを介してモニタ５１ｃへと出力することにより、有線式玄関カメラ子機１ｃの撮像素子１０ｃにて撮像された映像、無線式カメラ３ｃ、４ｃにてそれぞれ撮像された映像のうち、前述の第３の優先度情報に従って、無線式カメラ４ｃにて撮像された映像を優先的にモニタ５１ｃに表示させることができる。
【００７６】
なお、本発明の第３の実施例によるテレビドアホン装置によれば、モニタ親機５ｃの親機記憶部５４ｃまたは無線中継器２ｃの中継器記憶部２１ｃに記憶させる第３の優先度情報として、無線式カメラ４ｃにて撮像された映像を優先的にモニタ５１ｃに表示させる旨を適用したが、これに限定されず、有線式玄関カメラ子機１ｃの撮像素子１０ｃにて撮像された映像を優先的にモニタ５１ｃに表示させる旨、無線式カメラ３ｃにて撮像された映像を優先的にモニタ５１ｃに表示させる旨の何れかを第３の優先度情報として親機記憶部５４ｃまたは中継器記憶部２１ｃに記憶することにより、第３の優先度情報に該当する何れかのカメラにて撮像された映像を優先的にモニタ５１ｃに表示させることができる。
［第４の実施例］
次に、本発明の第４の実施例によるテレビドアホン装置について、図面を参照して説明する。
【００７７】
図７は、本発明の第４の実施例によるテレビドアホン装置の構成を示すシステム説明図である。
【００７８】
図７のシステム説明図に示すテレビドアホン装置は、玄関に設置され、前述の有線式カメラ２ａと同様な機能を有する無線中継器２ｄを内蔵した有線式カメラ１ｄと、有線式カメラ１ｄに内蔵された無線中継器２ｄの通信エリア（通信エリア内）Ｚ1dに設置された前述の有線式玄関カメラ子機１ａ、１ｂ、１ｃと同様な機能を有する無線式玄関カメラ子機３ｄおよび前述の無線式カメラ４ａ、５ａ、３ｂ、４ｂ、３ｃ、４ｃと同様な機能を有する（少なくとも１台の）無線式カメラ、ここで、１台の無線式カメラ４ｄと、住戸内に設置され、端子Ｐ1dに子機ラインＬ1dを介して有線接続される有線式カメラ１ｄに内蔵された無線中継器２ｄを介して無線式玄関カメラ子機３ｄからの呼び出しが報知され、この呼び出しを確認した居住者が応答して通話を成立させるための呼出・通話機能および有線式カメラ１ｄにて撮像された映像、無線式玄関カメラ子機３ｄにて撮像された映像、無線式カメラ４ｄにて撮像された映像を表示するための映像出画機能を有するモニタ親機５ｄとを備えている。
【００７９】
また、有線式カメラ１ｄには、図８（ａ）のブロック図に示すように、無線式玄関カメラ子機３ｄとの間で各信号（映像信号、制御信号等）の送受信を行うとともに、無線式カメラ４ｄからの信号（映像信号）を受信するための無線送受信部２０ｄを備えた無線中継器２ｄが内蔵されており、ＣＣＤ、ＣＭＯＳ等の撮像素子１０ｄと、撮像素子１０ｄにて撮像された映像を信号処理、例えば、ＦＭ変調するためのカメラ映像処理回路１１ｄと、当該有線式カメラの構成各部／回路をそれぞれ制御するためのカメラ制御部１２ｄと、カメラ制御部１２ｄおよびカメララインＬ1dの間の信号伝送路を形成するためのカメラＩ／Ｆ１３ｄとが備えられている。なお、有線式カメラ１ｄには、前述の撮像素子１０ｄ、カメラ映像処理回路１１ｄ、カメラ制御部１２ｄ、カメラＩ／Ｆ１３ｄの他、人体感知機能やモニタ親機５ｄとの間で通話を成立させるための通話機能等（図示せず）が備えられる。
【００８０】
さらに、モニタ親機５ｄには、図８（ａ）のブロック図に示すように、カメララインＬ1dを介して有線式カメラ１ｄが有線接続される端子Ｐ1dと、無線式玄関カメラ子機３ｄにて呼出操作を行った来訪者からの呼び出しが報知され、この呼び出しに応答した居住者が通話を成立させるための呼出・通話部５０ｄと、有線式カメラ１ｄの撮像素子１０ｄにて撮像された映像、無線式玄関カメラ子機３ｄにて撮像された映像、無線式カメラ４ｄにて撮像された映像を表示するためのＬＣＤ、有機ＥＬディスプレイ等のモニタ５１ｄと、モニタ５１ｄに映像を表示させるにあたり伝送されてくる当該映像信号を信号処理、例えば、ＦＭ復調するための親機映像処理回路５２ｄと、有線式カメラ１ｄの撮像素子１０ｄ、無線式玄関カメラ子機３ｄ、無線式カメラ４ｄのうち何れのカメラにて撮像された映像を優先的に表示させるかを予め設定するためのキーボタン、タッチパネル等の設定部５３ｄと、設定部５３ｄにて予め設定された優先度を記憶するためのＲＡＭ、ＥＥＰＲＯＭ等の親機記憶部５４ｄと、当該モニタ親機の構成各部／回路をそれぞれ制御するとともに、有線式カメラ１ｄの撮像素子１０ｄにて撮像された映像、無線式玄関カメラ子機３ｄにて撮像された映像、無線式カメラ４ｄにて撮像された映像が重複して受信されたときには、親機記憶部５４ｄに記憶された優先度に従ってモニタ５１ｄに映像を表示させるための親機制御部５５ｄと、呼出・通話部５０ｄ、親機制御部５５ｄおよび端子Ｐ1dの間の信号伝送路をそれぞれ形成するための親機Ｉ／Ｆ５６ｄとが備えられている。
【００８１】
このように構成された本発明の第４の実施例によるテレビドアホン装置において、以下、具体的な動作について説明する。
【００８２】
図８（ａ）のブロック図において、モニタ親機５ｄの親機記憶部５４ｄには、設定部５３ｄにて予め設定された優先度、すなわち、有線式カメラ１ｄの撮像素子１０ｄ、無線式玄関カメラ子機３ｄ、無線式カメラ４ｄのうち何れのカメラにて撮像された映像を優先的にモニタ５１ｄに表示させるかの情報（以下、第４の優先度情報という。）、例えば、無線式玄関カメラ子機３ｄにて撮像された映像を優先的にモニタ５１ｄに表示させる旨の第４の優先度情報を記憶させることができる。
【００８３】
次に、前述のような第４の優先度情報が図８（ａ）のブロック図に示すモニタ親機５ｄの親機記憶部５４ｄに記憶されている状態において、有線式カメラ１ｄの撮像素子１０ｄ、無線式玄関カメラ子機３ｄ、無線式カメラ４ｄの各映像撮像機能がそれぞれ能動となった場合の動作について説明する。
【００８４】
図８（ａ）のブロック図に示す有線式カメラ１ｄにおいて、撮像素子１０ｄが能動となり撮像された映像は、（前述の第１の実施例と同様）カメラ映像処理回路１１ｄを介して信号処理、例えば、ＦＭ変調された映像信号Ｓ1dとして、カメラ制御部１２ｄ、カメラＩ／Ｆ１３ｄ、カメララインＬ1d、モニタ親機５ｄの端子Ｐ1d、親機Ｉ／Ｆ５６ｄを介して親機制御部５５ｄへと伝送される。
【００８５】
また、図７のシステム説明図および図８（ａ）のブロック図に示す無線式玄関カメラ子機３ｄの映像撮像機能（詳述せず）が能動となり撮像された映像は、信号処理、例えば、ＦＭ変調された後、無線信号の映像信号Ｓ2dとして当該無線式玄関カメラ子機の機器外へと出力される。この映像信号Ｓ2dは、無線式玄関カメラ子機３ｄ、無線式カメラ４ｄとともに同一の通信エリア（通信エリア内）Ｚ1dに設置されている有線式カメラ１ｄに内蔵された無線中継器２ｄの無線送受信部２０ｄにて受信される。無線中継器２ｄの無線送受信部２０ｄは、受信された無線信号を電気信号である映像信号Ｓ2d'に信号処理する。この映像信号Ｓ2d'は、無線送受信部２０ｄからカメラ制御部１２ｄ、カメラＩ／Ｆ１３ｄ、カメララインＬ1d、モニタ親機５ｄの端子Ｐ1d、親機Ｉ／Ｆ５６ｄを介して親機制御部５５ｄへと伝送される。
【００８６】
また、図７のシステム説明図および図８（ａ）のブロック図に示す無線式カメラ４ｄの映像撮像機能（詳述せず）が能動となり撮像された映像は、信号処理、例えば、ＦＭ変調された後、無線信号の映像信号Ｓ3dとして当該無線式カメラの機器外へと出力される。この映像信号Ｓ3dは、前述の映像信号Ｓ2dと同様、無線式カメラ４ｄ、無線式玄関カメラ子機３ｄとともに同一の通信エリア（通信エリア内）Ｚ1dに設置されている有線式カメラ１ｄに内蔵された無線中継器２ｄの無線送受信部２０ｄにて受信される。無線中継器２ｄの無線送受信部２０ｄは、受信された無線信号を電気信号である映像信号Ｓ3d'に信号処理する。この映像信号Ｓ3d'は、前述の映像信号Ｓ2d'と同様な経路を介してモニタ親機５ｄの親機制御部５５ｄへと伝送される。
【００８７】
さらに、図８（ａ）のブロック図において、有線式カメラ１ｄの撮像素子１０ｄにて撮像された映像である映像信号Ｓ1d、無線式玄関カメラ子機３ｄにて撮像された映像である映像信号Ｓ2d'、無線式カメラ４ｄにて撮像された映像である映像信号Ｓ3d'をモニタ親機５ｄの親機制御部５５ｄが重複して受信したとき、この親機制御部５５ｄは、親機記憶部５４ｄに記憶されている第４の優先度情報に従って、親機映像処理回路５２ｄを介してモニタ５１ｄへと出力させる当該映像信号を選択することにより、有線式カメラ１ｄの撮像素子１０ｄにて撮像された映像、無線式玄関カメラ子機３ｄにて撮像された映像、無線式カメラ４ｄにて撮像された映像のうち、前述の第４の優先度情報に従って、無線式玄関カメラ子機３ｄにて撮像された映像を優先的にモニタ５１ｄに表示させることができる。
【００８８】
なお、本発明の第４の実施例によるテレビドアホン装置の具体的な動作を説明するにあたり、前述までの説明では、図８（ａ）のブロック図に示すように、設定部５３ｄにて予め設定された優先度を記憶するための当該記憶部と、有線式カメラ１ｄの撮像素子１０ｄにて撮像された映像、無線式玄関カメラ子機３ｄにて撮像された映像、無線式カメラ４ｄにて撮像された映像が重複して受信されたときに当該記憶部に記憶された優先度に従ってモニタ５１ｄに映像を表示させるための当該制御部とを記憶部５３ｄ、親機制御部５５ｄとしてモニタ親機５ｄに備えた場合について説明したが、この構成に限定されず、図８（ｂ）のブロック図に示すように、有線式カメラ１ｄに内蔵された無線中継器２ｄに、中継器記憶部２１ｄ、中継器制御部２２ｄとして、前述の無線送受信部２０ｄ、中継器制御部２２ｄおよびカメラ制御部１２ｄの間の信号伝送路を形成するための中継器Ｉ／Ｆ２３ｄとともに備えることができる。
【００８９】
図８（ｂ）のブロック図において、モニタ親機５ｄの親機制御部５５ｄは、設定部５３ｄにて予め設定された優先度、すなわち、有線式カメラ１ｄの撮像素子１０ｄ、無線式玄関カメラ子機３ｄ、無線式カメラ４ｄのうち、無線式玄関カメラ子機３ｄにて撮像された映像を優先的にモニタ５１ｄに表示させる旨の第４の優先度情報を付加させた制御信号Ｓ4dを生成する。この制御信号Ｓ4dは、親機制御部５５ｄから親機Ｉ／Ｆ５６ｄ、端子Ｐ1d、カメララインＬ1d、有線式カメラ１ｄのカメラＩ／Ｆ１３ｄ、カメラ制御部１２ｄ、無線中継器２ｄの中継器Ｉ／Ｆ２３ｄを介して中継器制御部２２ｄへと伝送される。
【００９０】
また、図８（ｂ）のブロック図において、有線式カメラ１ｄに内蔵された無線中継器２ｄの中継器制御部２２ｄは、モニタ親機５ｄ（の親機制御部５５ｄ）からの制御信号Ｓ4dをもとに、有線式カメラ１ｄの撮像素子１０ｄにて撮像された映像でありカメラ映像処理回路１１ｄ、カメラ制御部１２ｄ、中継器Ｉ／Ｆ２３ｄを介して伝送されてくる映像信号Ｓ1d、無線受信部２０ｃにて受信された無線式玄関カメラ子機３ｄおよび無線式カメラ４ｄからの映像信号Ｓ2d、Ｓ3dのうち、無線式玄関カメラ子機３ｄにて撮像された映像である映像信号Ｓ2dについて電気信号に信号処理した映像信号Ｓ2d'を優先的にモニタ親機５ｄへと伝送させる旨の前述の第４の優先度情報を中継器記憶部２１ｄに記憶させることができる。
【００９１】
次に、前述のような第４の優先度情報が図８（ｂ）のブロック図に示す有線式カメラ１ｄに内蔵された無線中継器２ｄの中継器記憶部２１ｄに記憶されている状態において、有線式カメラ１ｄ、無線式玄関カメラ子機３ｄ、無線式カメラ４ｄの各映像撮像機能がそれぞれ能動となった場合の動作について説明する。
【００９２】
図８（ｂ）のブロック図に示す有線式カメラ１ｄにおいて、撮像素子１０ｄが能動となり撮像された映像は、（前述の第１の実施例と同様）カメラ映像処理回路１１ｄを介して信号処理、例えば、ＦＭ変調された映像信号Ｓ1dとして、カメラ制御部１２ｄ、無線中継器２ｄの中継器Ｉ／Ｆ２３ｄを介して中継器制御部２２ｄへと伝送される。
【００９３】
また、図７のシステム説明図および図８（ｂ）のブロック図に示す無線式玄関カメラ子機３ｄおよび無線式カメラ４ａの各映像撮像機能（詳述せず）がそれぞれ能動となり撮像された映像は、前述と同様な信号処理が行われた映像信号Ｓ2d、Ｓ3dとして当該無線式玄関カメラ子機および無線式カメラの機器外へと出力された後、有線式カメラ１ｄに内蔵された無線中継器２ｄの無線送受信部２０ｄにて受信される。無線中継器２ｄの中継器制御部２２ｄは、有線式カメラ１ｄのカメラ映像処理回路１１ｄを介して信号処理、例えば、ＦＭ変調された映像信号Ｓ1d、無線送受信部２０ｄを介して電気信号に信号処理された映像信号Ｓ2d'、Ｓ3d’のうち、中継器記憶部２１ｄに記憶されている第４の優先度情報に従って、優先度の高い無線式玄関カメラ子機３ｄにて撮像された映像である映像信号Ｓ2d'を中継器Ｉ／Ｆ２３ｄ、カメラ制御部１２ｄ、カメラＩ／Ｆ１３ｄ、カメララインＬ1d、モニタ親機５ｄの端子Ｐ1d、親機Ｉ／Ｆ５６ｄを介して親機制御部５５ｄへと伝送させる。
【００９４】
さらに、図８（ｂ）のブロック図において、モニタ親機５ｄの親機制御部５５ｄは、有線式カメラ１ｄに内蔵された無線中継器２ｄの中継器記憶部２１ｄに記憶されている第４の優先度情報に従って伝送されてきた当該映像信号、すなわち、無線式玄関カメラ子機３ｄにて撮像された映像である映像信号Ｓ2d'を親機映像処理回路５２ｄを介してモニタ５１ｄへと出力することにより、有線式カメラ１ｄの撮像素子１０ｄにて撮像された映像、無線式玄関カメラ子機３ｄにて撮像された映像、無線式カメラ４ｄにて撮像された映像のうち、前述の第４の優先度情報に従って、無線式玄関カメラ子機３ｄにて撮像された映像を優先的にモニタ５１ｄに表示させることができる。
【００９５】
なお、本発明の第４の実施例によるテレビドアホン装置によれば、モニタ親機５ｄの親機記憶部５４ｄまたは無線中継器２ｄの中継器記憶部２１ｄに記憶させる第４の優先度情報として、無線式玄関カメラ子機３ｄにて撮像された映像を優先的にモニタ５１ｄに表示させる旨を適用したが、これに限定されず、有線式カメラ１ｄの撮像素子１０ｄにて撮像された映像を優先的にモニタ５１ｄに表示させる旨、無線式カメラ４ｄにて撮像された映像を優先的にモニタ５１ｄに表示させる旨の何れかを第４の優先度情報として親機記憶部５４ｄまたは中継器記憶部２１ｄに記憶することにより、第４の優先度情報に該当する何れかのカメラにて撮像された映像を優先的にモニタ５１ｄに表示させることができる。
［第５の実施例］
次に、本発明の第５の実施例によるテレビドアホン装置について、図面を参照して説明する。
【００９６】
図９は、本発明の第５の実施例によるテレビドアホン装置の構成を示すシステム説明図である。
【００９７】
図９のシステム説明図に示すテレビドアホン装置は、玄関に設置され、前述の有線式玄関カメラ子機１ａ、１ｂ、１ｃと同様な機能を有する無線中継器２ｅを内蔵した有線式玄関カメラ子機１ｅと、有線式玄関カメラ子機１ｅに内蔵された無線中継器２ｅの通信エリア（通信エリア内）Ｚ1eに設置された前述の無線式玄関カメラ子機３ｄと同様な機能を有する無線式玄関カメラ子機３ｅおよび前述の無線式カメラ４ａ、５ａ、３ｂ、４ｂ、３ｃ、４ｃ、４ｄと同様な機能を有する（少なくとも１台の）無線式カメラ、ここで、１台の無線式カメラ４ｅと、住戸内に設置され、端子Ｐ1eに子機ラインＬ1eを介して有線接続される有線式玄関カメラ子機１ｅ、または有線式玄関カメラ子機１ｅに内蔵された無線中継器２ｅを介して無線式玄関カメラ子機３ｅからの呼び出しが報知され、この呼び出しを確認した居住者が応答して通話を成立させるための呼出・通話機能および有線式玄関カメラ子機１ｅにて撮像された映像、無線式玄関カメラ子機３ｅにて撮像された映像、無線式カメラ４ｅにて撮像された映像を表示するための映像出画機能を有するモニタ親機５ｅとを備えている。
【００９８】
また、有線式玄関カメラ子機１ｅには、図１０（ａ）のブロック図に示すように、無線式玄関カメラ子機３ｅとの間で各信号（映像信号、制御信号等）の送受信を行うとともに、無線式カメラ４ｅからの信号（映像信号）を受信するための無線送受信部２０ｅを備えた無線中継器２ｅが内蔵されており、ＣＣＤ、ＣＭＯＳ等の撮像素子１０ｅと、撮像素子１０ｅにて撮像された映像を信号処理、例えば、ＦＭ変調するための子機映像処理回路１１ｅと、当該有線式玄関カメラ子機の構成各部／回路をそれぞれ制御するための子機制御部１２ｅと、子機制御部１２ｅおよび子機ラインＬ1eの間の信号伝送路を形成するための子機Ｉ／Ｆ１３ｅとが備えられている。なお、有線式玄関カメラ子機１ｅには、前述の撮像素子１０ｅ、子機映像処理回路１１ｅ、子機制御部１２ｅ、子機Ｉ／Ｆ１３ｅの他、モニタ親機５ｅを呼び出して通話を成立させるための呼出・通話機能等（図示せず）が備えられる。
【００９９】
さらに、モニタ親機５ｅには、図１０（ａ）のブロック図に示すように、子機ラインＬ1eを介して有線式玄関カメラ子機１ｅが有線接続される端子Ｐ1eと、有線式玄関カメラ子機１ｅまたは無線式玄関カメラ子機３ｅにて呼出操作を行った来訪者からの呼び出しが報知され、この呼び出しに応答した居住者が通話を成立させるための呼出・通話部５０ｅと、有線式玄関カメラ子機１ｅの撮像素子１０ｅにて撮像された映像、無線式玄関カメラ子機３ｅにて撮像された映像、無線式カメラ４ｅにて撮像された映像を表示するためのＬＣＤ、有機ＥＬディスプレイ等のモニタ５１ｅと、モニタ５１ｅに映像を表示させるにあたり伝送されてくる当該映像信号を信号処理、例えば、ＦＭ復調するための親機映像処理回路５２ｅと、有線式玄関カメラ子機１ｅの撮像素子１０ｅ、無線式玄関カメラ子機３ｅ、無線式カメラ４ｅのうち何れのカメラにて撮像された映像を優先的に表示させるかを予め設定するためのキーボタン、タッチパネル等の設定部５３ｅと、設定部５３ｅにて予め設定された優先度を記憶するためのＲＡＭ、ＥＥＰＲＯＭ等の親機記憶部５４ｅと、当該モニタ親機の構成各部／回路をそれぞれ制御するとともに、有線式玄関カメラ子機１ｅの撮像素子１０ｅにて撮像された映像、無線式玄関カメラ子機３ｅにて撮像された映像、無線式カメラ４ｅにて撮像された映像が重複して受信されたときには、親機記憶部５４ｅに記憶された優先度に従ってモニタ５１ｅに映像を表示させるための親機制御部５５ｅと、呼出・通話部５０ｅ、親機制御部５５ｅおよび端子Ｐ1eの間の信号伝送路をそれぞれ形成するための親機Ｉ／Ｆ５６ｅとが備えられている。
【０１００】
このように構成された本発明の第５の実施例によるテレビドアホン装置において、以下、具体的な動作について説明する。
【０１０１】
図１０（ａ）のブロック図において、モニタ親機５ｅの親機記憶部５４ｅには、設定部５３ｅにて予め設定された優先度、すなわち、有線式玄関カメラ子機１ｅの撮像素子１０ｅ、無線式玄関カメラ子機３ｅ、無線式カメラ４ｅのうち何れのカメラにて撮像された映像を優先的にモニタ５１ｅに表示させるかの情報（以下、第５の優先度情報という。）、例えば、有線式玄関カメラ子機１ｅの撮像素子１０ｅにて撮像された映像を優先的にモニタ５１ｅに表示させる旨の第５の優先度情報を記憶させることができる。
【０１０２】
次に、前述のような第５の優先度情報が図１０（ａ）のブロック図に示すモニタ親機５ｅの親機記憶部５４ｅに記憶されている状態において、有線式玄関カメラ子機１ｅの撮像素子１０ｅ、無線式玄関カメラ子機３ｅ、無線式カメラ４ｅの各映像撮像機能がそれぞれ能動となった場合の動作について説明する。
【０１０３】
図１０（ａ）のブロック図に示す有線式玄関カメラ子機１ｅにおいて、撮像素子１０ｅが能動となり撮像された映像は、（前述の第３の実施例と同様）子機映像処理回路１１ｅを介して信号処理、例えば、ＦＭ変調された映像信号Ｓ1eとして、子機制御部１２ｅ、子機Ｉ／Ｆ１３ｅ、子機ラインＬ1e、モニタ親機５ｅの端子Ｐ1e、親機Ｉ／Ｆ５６ｅを介して親機制御部５５ｅへと伝送される。
【０１０４】
また、図９のシステム説明図および図１０（ａ）のブロック図に示す無線式玄関カメラ子機３ｅの映像撮像機能（詳述せず）が能動となり撮像された映像は、（前述の第４の実施例と同様な）信号処理、例えば、ＦＭ変調された後、無線信号の映像信号Ｓ2eとして当該無線式玄関カメラ子機の機器外へと出力される。この映像信号Ｓ2eは、無線式玄関カメラ子機３ｅ、無線式カメラ４ｅとともに同一の通信エリア（通信エリア内）Ｚ1eに設置されている有線式玄関カメラ子機１ｅに内蔵された無線中継器２ｅの無線送受信部２０ｅにて受信される。無線中継器２ｅの無線送受信部２０ｅは、受信された無線信号を電気信号である映像信号Ｓ2e'に信号処理する。この映像信号Ｓ2e'は、無線送受信部２０ｅから子機制御部１２ｅ、子機Ｉ／Ｆ１３ｅ、子機ラインＬ1e、モニタ親機５ｅの端子Ｐ1e、親機Ｉ／Ｆ５６ｅを介して親機制御部５５ｅへと伝送される。
【０１０５】
また、図９のシステム説明図および図１０（ａ）のブロック図に示す無線式カメラ４ｅの映像撮像機能（詳述せず）が能動となり撮像された映像は、（前述の第４の実施例と同様な）信号処理、例えば、ＦＭ変調された後、無線信号の映像信号Ｓ3eとして当該無線式カメラの機器外へと出力される。この映像信号Ｓ3eは、前述の映像信号Ｓ2eと同様、無線式カメラ４ｅ、無線式玄関カメラ子機３ｅとともに同一の通信エリア（通信エリア内）Ｚ1eに設置されている有線式玄関カメラ子機１ｅに内蔵された無線中継器２ｅの無線受信部２０ｅにて受信される。無線中継器２ｅの無線受信部２０ｅは、受信された無線信号を電気信号である映像信号Ｓ3e'に信号処理する。この映像信号Ｓ3e'は、前述の映像信号Ｓ2e'と同様な経路を介してモニタ親機５ｅの親機制御部５５ｅへと伝送される。
【０１０６】
さらに、図１０（ａ）のブロック図において、有線式玄関カメラ子機１ｅの撮像素子１０ｅにて撮像された映像である映像信号Ｓ1e、無線式玄関カメラ子機３ｅにて撮像された映像である映像信号Ｓ2e'、無線式カメラ４ｅにて撮像された映像である映像信号Ｓ3e'をモニタ親機５ｅの親機制御部５５ｅが重複して受信したとき、この親機制御部５５ｅは、親機記憶部５４ｅに記憶されている第５の優先度情報に従って、親機映像処理回路５２ｅを介してモニタ５１ｅへと出力させる当該映像信号を選択することにより、有線式玄関カメラ子機１ｅの撮像素子１０ｅにて撮像された映像、無線式玄関カメラ子機３ｅにて撮像された映像、無線式カメラ４ｅにて撮像された映像のうち、前述の第５の優先度情報に従って、有線式玄関カメラ子機１ｅの撮像素子１０ｅにて撮像された映像を優先的にモニタ５１ｅに表示させることができる。
【０１０７】
なお、本発明の第５の実施例によるテレビドアホン装置の具体的な動作を説明するにあたり、前述までの説明では、図１０（ａ）のブロック図に示すように、設定部５３ｅにて予め設定された優先度を記憶するための当該記憶部と、有線式玄関カメラ子機１ｅの撮像素子１０ｅにて撮像された映像、無線式玄関カメラ子機３ｅにて撮像された映像、無線式カメラ４ｅにて撮像された映像が重複して受信されたときに当該記憶部に記憶された優先度に従ってモニタ５１ｅに映像を表示させるための当該制御部とを記憶部５３ｅ、親機制御部５５ｅとしてモニタ親機５ｅに備えた場合について説明したが、この構成に限定されず、図１０（ｂ）のブロック図に示すように、有線式玄関カメラ子機１ｅに内蔵された無線中継器２ｅに、中継器記憶部２１ｅ、中継器制御部２２ｅとして、前述の無線送受信部２０ｅ、中継器制御部２２ｅおよび子機制御部１２ｅの間の信号伝送路を形成するための中継器Ｉ／Ｆ２３ｅとともに備えることができる。
【０１０８】
図１０（ｂ）のブロック図において、モニタ親機５ｅの親機制御部５５ｅは、設定部５３ｅにて予め設定された優先度、すなわち、有線式玄関カメラ子機１ｅの撮像素子１０ｅ、無線式玄関カメラ子機３ｅ、無線式カメラ４ｅのうち、有線式玄関カメラ子機１ｅの撮像素子１０ｅにて撮像された映像を優先的にモニタ５１ｅに表示させる旨の第５の優先度情報を付加させた制御信号Ｓ4eを生成する。この制御信号Ｓ4eは、親機制御部５５ｅから親機Ｉ／Ｆ５６ｅ、端子Ｐ1e、子機ラインＬ1e、有線式玄関カメラ子機１ｅの子機Ｉ／Ｆ１３ｅ、子機制御部１２ｅ、無線中継器２ｅの中継器Ｉ／Ｆ２３ｅを介して中継器制御部２２ｅへと伝送される。
【０１０９】
また、図１０（ｂ）のブロック図において、有線式玄関カメラ子機１ｅに内蔵された無線中継器２ｅの中継器制御部２２ｅは、モニタ親機５ｅ（の親機制御部５５ｅ）からの制御信号Ｓ4eをもとに、有線式玄関カメラ子機１ｅの撮像素子１０ｅにて撮像された映像であり子機映像処理回路１１ｅ、子機制御部１２ｅ、中継器Ｉ／Ｆ２３ｅを介して伝送されてくる映像信号Ｓ1e、無線受信部２０ｅにて受信された無線式玄関カメラ子機３ｅおよび無線式カメラ４ｅからの映像信号Ｓ2e、Ｓ3eのうち、有線式玄関カメラ子機１ｅの撮像素子１０ｅにて撮像された映像である映像信号Ｓ1eを優先的にモニタ親機５ｅへと伝送させる旨の前述の第５の優先度情報を中継器記憶部２１ｅに記憶させることができる。
【０１１０】
次に、前述のような第５の優先度情報が図１０（ｂ）のブロック図に示す有線式玄関カメラ子機１ｅに内蔵された無線中継器２ｅの中継器記憶部２１ｅに記憶されている状態において、有線式玄関カメラ子機１ｅ、無線式玄関カメラ子機３ｅ、無線式カメラ４ｅの各映像撮像機能がそれぞれ能動となった場合の動作について説明する。
【０１１１】
図１０（ｂ）のブロック図に示す有線式玄関カメラ子機１ｅにおいて、撮像素子１０ｅが能動となり撮像された映像は、（前述の第３の実施例と同様）子機映像処理回路１１ｅを介して信号処理、例えば、ＦＭ変調された映像信号Ｓ1eとして、子機制御部１２ｅ、無線中継器２ｅの中継器Ｉ／Ｆ２３ｅを介して中継器制御部２２ｅへと伝送される。
【０１１２】
また、図９のシステム説明図および図１０（ｂ）のブロック図に示す無線式玄関カメラ子機３ｅおよび無線式カメラ４ｅの各映像撮像機能（詳述せず）が能動となり撮像された映像は、前述と同様な信号処理が行われた映像信号Ｓ2e、Ｓ3eとして当該無線式玄関カメラ子機および無線式カメラの機器外へと出力された後、有線式玄関カメラ子機１ｅに内蔵された無線中継器２ｅの無線送受信部２０ｅにて受信される。無線中継器２ｅの中継器制御部２２ｅは、有線式玄関カメラ子機１ｅの子機映像処理回路１１ｅを介して信号処理、例えば、ＦＭ変調された映像信号Ｓ1e、無線送受信部２０ｅを介して電気信号に信号処理された映像信号Ｓ2e'、Ｓ3e’のうち、中継器記憶部２１ｅに記憶されている第５の優先度情報に従って、優先度の高い有線式玄関カメラ子機１ｅの撮像素子１０ｅにて撮像された映像である映像信号Ｓ1eを中継器Ｉ／Ｆ２３ｅ、子機制御部１２ｅ、子機Ｉ／Ｆ１３ｅ、子機ラインＬ1e、モニタ親機５ｅの端子Ｐ1e、親機Ｉ／Ｆ５６ｅを介して親機制御部５５ｅへと伝送させる。
【０１１３】
さらに、図１０（ｂ）のブロック図において、モニタ親機５ｅの親機制御部５５ｅは、有線式玄関カメラ子機１ｅに内蔵された無線中継器２ｅの中継器記憶部２１ｅに記憶されている第５の優先度情報に従って伝送されてきた当該映像信号、すなわち、有線式玄関カメラ子機１ｅの撮像素子１０ｅにて撮像された映像である映像信号Ｓ1eを親機映像処理回路５２ｅを介してモニタ５１ｅへと出力することにより、有線式玄関カメラ子機１ｅの撮像素子１０ｅにて撮像された映像、無線式玄関カメラ子機３ｅにて撮像された映像、無線式カメラ４ｅにて撮像された映像のうち、前述の第５の優先度情報に従って、有線式玄関カメラ子機１ｅの撮像素子１０ｅにて撮像された映像を優先的にモニタ５１ｅに表示させることができる。
【０１１４】
なお、本発明の第５の実施例によるテレビドアホン装置によれば、モニタ親機５ｅの親機記憶部５４ｅまたは無線中継器２ｅの中継器記憶部２１ｅに記憶させる第５の優先度情報として、有線式玄関カメラ子機１ｅの撮像素子１０ｅにて撮像された映像を優先的にモニタ５１ｅに表示させる旨を適用したが、これに限定されず、無線式玄関カメラ子機３ｅにて撮像された映像を優先的にモニタ５１ｅに表示させる旨、無線式カメラ４ｅにて撮像された映像を優先的にモニタ５１ｅに表示させる旨の何れかを第５の優先度情報として親機記憶部５４ｅまたは中継器記憶部２１ｅに記憶することにより、第５の優先度情報に該当する何れかのカメラにて撮像された映像を優先的にモニタ５１ｅに表示させることができる。
【図面の簡単な説明】
【０１１５】
【図１】図１は、本発明の第１の実施例によるテレビドアホン装置の構成を示すシステム説明図である。
【図２】図２（ａ）、（ｂ）は、本発明の第１の実施例によるテレビドアホン装置の具体的な構成を示す異なる態様の各ブロック図である。
【図３】図３は、本発明の第２の実施例によるテレビドアホン装置の構成を示すシステム説明図である。
【図４】図４（ａ）、（ｂ）は、本発明の第２の実施例によるテレビドアホン装置の具体的な構成を示す異なる態様の各ブロック図である。
【図５】図５は、本発明の第３の実施例によるテレビドアホン装置の構成を示すシステム説明図である。
【図６】図６（ａ）、（ｂ）は、本発明の第３の実施例によるテレビドアホン装置の具体的な構成を示す異なる態様の各ブロック図である。
【図７】図７は、本発明の第４の実施例によるテレビドアホン装置の構成を示すシステム説明図である。
【図８】図８（ａ）、（ｂ）は、本発明の第４の実施例によるテレビドアホン装置の具体的な構成を示す異なる態様の各ブロック図である。
【図９】図９は、本発明の第５の実施例によるテレビドアホン装置の構成を示すシステム説明図である。
【図１０】図１０（ａ）、（ｂ）は、本発明の第５の実施例によるテレビドアホン装置の具体的な構成を示す異なる態様の各ブロック図である。
【図１１】図１１は、従来例のテレビドアホン装置の構成を示すシステム説明図である。
【符号の説明】
【０１１６】
１ａ、１ｂ、１ｃ、１ｅ……有線式玄関カメラ子機
２ａ、１ｄ……有線式カメラ
３ａ、２ｂ、２ｃ、２ｄ、２ｅ……無線中継器
３１ａ、２１ｂ、２１ｃ、２１ｄ、２１ｅ……中継器記憶部（記憶部）
３２ａ、２２ｂ、２２ｃ、２２ｄ、２２ｅ……中継器制御部（制御部）
３ｄ、３ｅ……無線式玄関カメラ子機
４ａ、５ａ、３ｂ、４ｂ、３ｃ、４ｃ、４ｄ、４ｅ……無線式カメラ
６ａ、５ｂ、５ｃ、５ｄ、５ｅ……モニタ親機
６１ａ、５１ｂ、５１ｃ、５１ｄ、５１ｅ……モニタ
６３ａ、５３ｂ、５３ｃ、５３ｄ、５３ｅ……設定部
６４ａ、５４ｂ、５４ｃ、５４ｄ、５４ｅ……親機記憶部（記憶部）
６５ａ、５５ｂ、５５ｃ、５５ｄ、５５ｅ……親機制御部（制御部）
Ｐ1a、Ｐ2a……（モニタ親機６ａの）第１、第２の各端子
Ｐ1b、Ｐ2b……（モニタ親機５ｂの）第１、第２の各端子
Ｐ1c……（モニタ親機５ｃの）端子
Ｐ1d……（モニタ親機５ｄの）端子
Ｐ1e……（モニタ親機５ｅの）端子
【図１】
2006279791.tif 000003
【図２】
2006279791.tif 000004
【図３】
2006279791.tif 000005
【図４】
2006279791.tif 000006
【図５】
2006279791.tif 000007
【図６】
2006279791.tif 000008
【図７】
2006279791.tif 000009
【図８】
2006279791.tif 000010
【図９】
2006279791.tif 000011
【図１０】
2006279791.tif 000012
【図１１】
2006279791.tif 000013